(57)【要約】【課題】受け皿が勢いよく出し入れされても、開閉扉の開閉を静音化できるガス調理器具を提供する。【解決手段】ビルトインコンロでは、グリル庫４５の開口部８を開閉する開閉扉１５は、グリル庫４５に対する受け皿６０の出し入れに連動して回動する。開閉扉１５に設けられた第１ギヤ７０が開閉扉１５と共に回動すると、第１ギヤ７０に噛合する第２ギヤ７６を有するロータリーダンパ７５の回転軸７５ａを回動させる。ロータリーダンパ７５は、第２ギヤ７６及び第１ギヤ７０を介して、開閉扉１５の回動動作に抵抗を付与する。従って受け皿６０が勢いよく出し入れされても、開閉扉１５の回動が遅くなるので、開閉扉１５の開閉に伴って生じる音を軽減できる。さらに開閉扉１５の回動が遅くなることに伴って受け皿６０の出し入れにも抵抗がかかるので、勢いよく受け皿６０が出し入れされるのを防止できる。【選択図】図４
2010022500.tif 000002
【特許請求の範囲】
【請求項１】
前面に開口部が形成された被調理物の調理を行うための調理庫と、
前記調理庫に出し入れされ、被調理物が載置される焼き網を備えた受け皿と、
前記開口部近傍に設けられ、前記調理庫の左右方向に延設された支軸と、
前記支軸に挿通され、前記支軸を中心に前記調理庫の上下方向に回動して前記開口部を開閉する開閉扉と、
前記開閉扉を開く方向に付勢する付勢手段と、
前記調理庫の側壁に設けられ、前記調理庫の略前後方向に延設された長孔と、
前記長孔に遊挿され、前記調理庫の左右方向に設けられた長孔軸と、
一端が前記開閉扉に回動可能に連結され、他端が前記長孔軸に連結されたアーム状の連結部材と、
前記受け皿が前記調理庫に収納される際に、前記長孔軸に当接し、前記長孔軸を前記長孔に沿って前記調理庫の後方に移動させることにより、前記連結部材を介して、前記付勢手段の付勢力に抗して前記開閉扉を閉じる方向に回動させる開閉扉制御部材と、
前記開閉扉が回動する際に、前記開閉扉の回動方向と逆方向の抵抗力を前記開閉扉に付与する抵抗力付与手段と
を備えたことを特徴とするガス調理器具。
【請求項２】
前記抵抗力付与手段は、ロータリーダンパを備えたことを特徴とする請求項１に記載のガス調理器具。
【請求項３】
前記抵抗力付与手段は、
前記開閉扉に設けられ、前記開閉扉と共に回動する第１ギヤと、
前記ロータリーダンパの軸部に設けられ、前記第１ギヤに噛合する第２ギヤと
を備えたことを特徴とする請求項２に記載のガス調理器具。
【発明の詳細な説明】
【技術分野】
【０００１】
本発明は、ガス調理器具に関し、詳細には、調理庫内でガスを燃焼させて被調理物の調理を行うガス調理器具に関する。
【背景技術】
【０００２】
従来、調理庫内でガスを燃焼させて被調理物の調理を行うガス調理器具において、調理庫の前面に形成された開口部を開閉する開閉扉が、被調理物が載置される焼き網を備えた受け皿と分離されているものがある。例えば、受け皿と開閉扉とが分離されているとともに、受け皿の調理庫に対する出し入れ動作に連動して開閉扉が開口部を開閉するガス調理器具が知られている（例えば、特許文献１参照）。
【０００３】
このガス調理器具では、受け皿の調理庫に対する出し入れ動作に連動させて、開閉扉を開口部に対して開閉させることができるので、受け皿を調理庫から引き出して被調理物を焼き網の上に載置し易くでき、又は焼き網の上に載置されている被調理物を取り易くできる。さらに、受け皿を調理庫から引き出したときに、調理の際に発生する熱で熱くなっている開閉扉にユーザが触れてしまうことを防止できる。
【特許文献１】実開平６―４５１３号公報
【発明の開示】
【発明が解決しようとする課題】
【０００４】
しかしながら、特許文献１に開示されているガス調理器具では、受け皿を勢いよく出し入れした場合に、それに連動して開閉扉も勢いよく開口部を開閉するので、開閉扉が開口部の周囲の部材に当たる音が耳障りであるという問題があった。
【０００５】
本発明は、上記課題を解決するためになされたものであり、受け皿が勢いよく出し入れされても、開閉扉の開閉を静音化できるガス調理器具を提供することを目的とする。
【課題を解決するための手段】
【０００６】
上記目的を達成するために、請求項１に係る発明のガス調理器具は、前面に開口部が形成された被調理物の調理を行うための調理庫と、前記調理庫に出し入れされ、被調理物が載置される焼き網を備えた受け皿と、前記開口部近傍に設けられ、前記調理庫の左右方向に延設された支軸と、前記支軸に挿通され、前記支軸を中心に前記調理庫の上下方向に回動して前記開口部を開閉する開閉扉と、前記開閉扉を開く方向に付勢する付勢手段と、前記調理庫の側壁に設けられ、前記調理庫の略前後方向に延設された長孔と、前記長孔に遊挿され、前記調理庫の左右方向に設けられた長孔軸と、一端が前記開閉扉に回動可能に連結され、他端が前記長孔軸に連結されたアーム状の連結部材と、前記受け皿が前記調理庫に収納される際に、前記長孔軸に当接し、その長孔軸を前記長孔に沿って前記調理庫の後方に移動させることにより、前記連結部材を介して、前記付勢手段の付勢力に抗して前記開閉扉を閉じる方向に回動させる開閉扉制御部材と、前記開閉扉が開閉する際に、前記開閉扉の回動方向と逆方向の抵抗力を前記開閉扉に付与する抵抗力付与手段とを備えている。
【０００７】
また、請求項２に係る発明のガス調理器具は、請求項１に記載の発明の構成に加え、前記抵抗力付与手段は、ロータリーダンパを備えている。
【０００８】
また、請求項３に係る発明のガス調理器具は、請求項２に記載の発明の構成に加え、前記抵抗力付与手段は、前記開閉扉に設けられ、前記開閉扉と共に回動する第１ギヤと、前記ロータリーダンパの軸部に設けられ、前記第１ギヤに噛合する第２ギヤとを備えている。
【発明の効果】
【０００９】
請求項１に係るガス調理器具では、調理庫の開口部近傍に設けられた支軸を中心に、開閉扉が回動することによって開口部が開閉される。この開閉扉は付勢手段によって開く方向に常時付勢されている。調理庫の側壁に設けられた長孔には長孔軸が遊挿され、該長孔軸は長孔に沿って移動する。長孔軸と開閉扉の間には連結部材が連結されている。従って、開閉扉の回動により、連結部材を介して長孔軸が長孔に沿って移動する。ここで、受け皿が調理庫内に収納される際に、開閉扉制御部材が長孔軸に当接する。そして、開閉扉制御部材がその長孔軸を長孔に沿って調理庫の後方に移動させる。すると、長孔軸に連結された連結部材を介して開閉扉が付勢手段の付勢に抗して閉じる方向に回動する。こうして調理庫の開口部が開閉扉によって閉じられる。なお、受け皿を調理庫から引き出す際は、上記とは逆の流れを経ることによって開閉扉が開かれる。そして、本発明では、抵抗力付与手段が、開閉扉に対して開閉扉の回動方向とは逆方向の抵抗力を付与するので、受け皿がユーザによって勢いよく出し入れされた場合、これに伴って回動する開閉扉の開閉速度を遅くすることができる。これにより、開閉扉が調理庫の開口部の周囲に勢いよく衝突しないので、受け皿の出し入れの際に生じる音を軽減できる。さらに、開口部の周囲が損傷するのを防止できる。
【００１０】
また、請求項２に係るガス調理器具では、請求項１に記載の発明の効果に加え、ロータリーダンパを用いることによって、開閉扉の回動に対して抵抗力を容易にかけることができる。
【００１１】
また、請求項３に係るガス調理器具では、請求項２に記載の発明の効果に加え、第１ギヤ及び第２ギヤを介すことによって、ロータリーダンパの抵抗力を開閉扉に効果的に伝達することができる。また、開閉扉とロータリーダンパとの間が離間していても第１ギヤ及び第２ギヤを介すことによって、ロータリーダンパの抵抗力を開閉扉に伝達することができる。
【発明を実施するための最良の形態】
【００１２】
以下、本発明の一実施形態であるビルトインコンロ１について、図面を参照して説明する。図１は、ビルトインコンロ１の斜視図である。図２は、受け皿６０を引き出した状態のビルトインコンロ１の斜視図である。図３は、受け皿６０をレール機構３０から取り外した状態のビルトインコンロ１の斜視図である。図４は、図２に示すＩ−Ｉ線矢視方向断面図である。図５は、図１に示すＩＩ−ＩＩ線矢視方向断面図である。図６は、開閉扉１５の斜視図である。なお、図１に示すビルトインコンロ１が本発明の「ガス調理器具」に相当する。
【００１３】
はじめに、ビルトインコンロ１の全体構造について概略的に説明する。図１に示すように、ビルトインコンロ１は、略直方体状の筐体２を備えている。筐体２の天面にはトッププレート４が設けられている。トッププレート４の左右両側には、ガスバーナ５，７が各々設けられ、それらガスバーナ５，７に挟まれる中央奥側には、とろ火用のガスバーナ６が設けられている。これらガスバーナ５，６，７の各中心部には、調理容器の底部に当接して、その底部温度を検知するための温度センサ５ａ，６ａ，７ａが各々設けられている。ガスバーナ５，６，７の各上部周囲には、調理容器を載置するための五徳９，１０，１１が各々設けられている。
【００１４】
トッププレート４の後端側には、後述するグリル庫４５（図４参照）に連通する排気口１３が設けられている。排気口１３には、複数の孔を有し、グリル庫４５内からの炎のあふれを抑制するための一対の安全網１４ａ，１４ｂが設置されている。
【００１５】
筐体２の幅方向中央の内側には、筐体２の前後方向に長手を有し、被調理物を庫内で加熱するためのグリル庫４５（図５参照）が組み込まれている。図２，図３に示すように、グリル庫４５の前面には開口部８が形成され、該開口部８は、筐体２の正面中央に形成された矩形状の開口１２の内側に配置されている。開口部８の上端部にはグリル庫４５の左右方向に延びる支軸４８が設けられ、その支軸４８に対して開閉扉１５が回動可能に軸支されている。これにより、開口部８は開閉扉１５によって開閉される。開閉扉１５の下方には、受け皿６０をグリル庫４５から引き出すための取手部材１６が設けられている。なお、図４に示すグリル庫４５が本発明の「調理庫」に相当する。
【００１６】
図２に示すように、受け皿６０は、グリル庫４５（図３参照）内に設けられたレール機構３０によって、グリル庫４５の内側と外側との間をスライド可能に支持されている。よって、取手部材１６を手前に引くと、その取手部材１６の裏側に連結された受け皿６０が庫外にスライドして引き出されるようになっている。この受け皿６０には焼き網２７が載置されている。よって、受け皿６０を庫外に引き出した状態において、焼き網２７上に被調理物を載せたり、焼き網２７上に載せられた被調理物を取り出すことができる。さらに、本実施形態では、図３に示すように、受け皿６０はレール機構３０に対して着脱可能である。よって、加熱調理後に、受け皿６０をレール機構３０から取り外すことによって、受け皿６０に載せられた被調理物を所望の場所にそのまま運ぶことができる。
【００１７】
また、グリル庫４５には、レール機構３０による受け皿６０のスライド動作に連動して、開閉扉１５を開閉させるための扉連動機構５０（図４参照）が設けられている。この扉連動機構５０によれば、図４，図５に示すように、受け皿６０を庫内に収納することで開閉扉１５は自動的に閉じられ、その反対に、受け皿６０を庫外に引き出すことで開閉扉１５が自動的に開かれる。なお、レール機構３０の構造、レール機構３０に対する受け皿６０の着脱構造、および扉連動機構５０の構造については後述する。
【００１８】
ところで、図１，図２に示すように、筐体２の正面左側には、ガスバーナ５を点火するための点火スイッチ１７が設けられている。その点火スイッチ１７の右隣りには、ガスバーナ６を点火するための点火スイッチ１８が設けられている。さらに、グリル庫４５の開閉扉１５を挟んで、筐体２の正面右側には、ガスバーナ７を点火するための点火スイッチ２０が設けられている。その点火スイッチ２０の左隣りには、グリル庫４５の内側に設けられたグリルバーナ（図示外）を点火するための点火スイッチ１９が設けられている。さらに、各点火スイッチ１７〜２０の上側には、対応する各バーナの火力をそれぞれ調節するための火力調節レバー２１〜２４が各々設けられている。
【００１９】
また、筐体２の正面左下であって、点火スイッチ１７，１８の下側には、ビルトインコンロ１を操作するための操作パネル２５が回動可能に設けられている。未使用時には筐体２の内側に収納され、使用時には収納状態の操作パネル２５を押下することで、筐体２の外側に回動されて操作可能となる。一方、筐体２の正面右下であって、点火スイッチ１９，２０の下側には、ビルトインコンロ１の電源を供給する乾電池を格納するための電池ボックス２６が設けられている。
【００２０】
次に、レール機構３０の構造について説明する。図４に示すように、レール機構３０は、グリル庫４５の左右の両側壁の各内面の下端部に沿って各々固定された一対の固定レール３１と、該一対の固定レール３１の内側に沿ってグリル庫４５の前後方向にスライド可能に支持された一対の第１可動レール３２と、該一対の第１可動レール３２の内側に沿ってグリル庫４５の前後方向にスライド可能に支持された一対の第２可動レール３３とからなる。なお、図４では、一対の各レールのうち、右側の各レールについてのみ図示している。
【００２１】
そして、固定レール３１と第１可動レール３２とが互いにすれ違う間には、複数の小型ローラが並列してなるローラユニット（図示外）が配設されている。第１可動レール３２と第２可動レール３３とが互いにすれ違う間にも、同様のローラユニット（図示外）が配設されている。さらに、固定レール３１の前端側には、第１ストッパ（図示外）が設けられている。第１可動レール３２の後端側には、第１可動レール３２が引き出された際に、第１ストッパに係止する第１係止部（図示外）が設けられている。これらにより、固定レール３１から第１可動レール３２が抜けるのを防止できる。
【００２２】
また、第１可動レール３２の前端側には、第２ストッパ（図示外）が設けられている。第２可動レール３３の後端側には、第２可動レール３２が引き出された際に、第２ストッパに係止する第２係止部（図示外）が設けられている。これにより、第１可動レール３２から第２可動レール３３が抜けるのを防止できる。このような構成からなるレール機構３０において、一対の第２可動レール３２の前側には、受け皿６０を着脱可能に保持するための正面視矩形状の保持枠４０が組み付けられている。
【００２３】
ここで、保持枠４０の構造について説明する。図３に示すように、保持枠４０は、右側の第２可動レール３２に固定された長尺状の右枠部４１と、左側の第２可動レール３２に固定された長尺状の左枠部４２と、右枠部４１の前端部と左枠部４２の前端部との間に渡設された長尺状の前方枠部４３と、右枠部４１の後端部と左枠部４２の後端部との間に渡設された長尺状の後方枠部４４とからなる。これら右枠部４１、左枠部４２、前方枠部４３、後方枠部４４は、何れも長手方向に直交する断面が略Ｌ字状に形成されている。
【００２４】
そして、右枠部４１及び左枠部４２は、一対の第２可動レール３２の上面を覆いつつ、第２可動レール３２の内面に沿って略直角に屈曲されている。右枠部４１について、前方枠部４３の上面を覆う部分の外側の一端部であってグリル庫４５の前方側には、扉連動機構５０の後述する連結アーム５３の一端部に軸支されたローラ５５に当接して、グリル庫４５の奥側に付勢するための当接部３６が設けられている。そして、詳述しないが、左枠部４２についても、右枠部４１と同様の当接部（図示外）が設けられている。なお、この当接部３６が本発明の「開閉扉制御部材」に相当する。
【００２５】
このような構成からなる保持枠４０の内側に対して、受け皿６０の底部が嵌ると共に、右枠部４１及び左枠部４２に対して、受け皿６０の左右両縁部が載置されることによって、保持枠４０に受け皿６０が保持される。そして、この保持枠４０の前方枠部４３に取手部材１６が連結されている。
【００２６】
次に、開閉扉１５の開閉構造について、図６を参照して説明する。開閉扉１５は、矩形状の本体枠９５を備えている。本体枠９５の略中央には矩形状の開口であるガラス窓部９６が形成されている。本体枠９５の左右両端部には、本体枠９５の裏面に対して略直角に延設された側面視Ｌ字型の支持部９７，９８が設けられている。これら支持部９７，９８において、開閉扉１５を上下方向に立てた状態の各上部には、支軸４８が挿通される支軸挿通孔９９が各々設けられている。それら支軸挿通孔９９の各下方には、後述する連結アーム５３の一端部を回動可能に軸支するための連結孔１００が各々設けられている。そして、本体枠９５に対して、その裏側からガラス窓部９６を覆うようにして一枚のガラス板１１０が固定されている。
【００２７】
このような構成からなる開閉扉１５において、支持部９７，９８の一対の支軸挿通孔９９，９９に対して支軸４８が挿通される。そして、その支軸４８の長手方向中央部が、グリル庫４５の開口部８を形成する開口端の上端部に固定され、支軸４８の長手方向両端部が、筐体２の開口１２を形成する各内面に固定される。これにより、開閉扉１５は支軸４８に対して独立して回動する。
【００２８】
さらに、支軸４８において、本体枠９５の内側に相当する部分の左右両側には、コイル状のトルクバネ５８が各々外挿されている。トルクバネ５８の一端部に形成されたループ状の固定部５８ａは、本体枠５９の支持部９７，９８の各内面に固定される。他方、トルクバネ５８の他端部は支軸４８に固定される。そして、固定部５８ａが略水平とした状態で、トルクバネ５８の他端部が支軸４８に対して固定される。つまり、開閉扉１５が開いた状態が、トルクバネ５８にトルクがかけられていない状態となる。そのため、開閉扉１５の自重によって下方に回動しようとしても、トルクバネ５８の付勢によって、開閉扉１５の開かれた状態が保持される。そして、開閉扉１５を閉じることによって、トルクバネ５８にトルクがかかるようになっている。なお、図６に示すトルクバネ５８が本発明の「付勢手段」に相当する。
【００２９】
ところで、本実施形態の開閉扉１５の開閉構造では、受け皿６０の出し入れに連動して、開閉扉１５が勢いよく開閉されることを防止するために、開閉扉１５の回動動作に対して所定の抵抗を与えている。そこで、開閉扉１５の回動動作に抵抗を与えるための構造について以下詳細に説明する。
【００３０】
図６に示すように、本体枠９５の左右両端に設けられた支持部９７，９８の各内面には、略円形状の板である第１ギヤ７０が各々固定されている。第１ギヤ７０の略中央には、支軸４８が遊挿される挿通孔７１が設けられている。この挿通孔７１は、支持部９７（９８）に設けられた支軸挿通孔９９に対応して配置されている。さらに、第１ギヤ７０の円弧の部分には多数の歯が連続して成る歯部が形成されている。そして、支軸４８は、支持部９７，９８の一対の支軸挿通孔９９，９９と、第１ギヤ７０，７０の挿通孔７１，７１とに対して挿通される。これにより、開閉扉１５が支軸４８を中心に回動することに伴って、第１ギヤ７０が支軸４８を中心に回動するようになっている。
【００３１】
一方、グリル庫４５の左右の両側壁４６の前側における上部には、ロータリーダンパ７５が各々固定されている（図４，図５では、グリル庫４５の右側のロータリーダンパ７５のみ図示）。ロータリーダンパ７５の回転軸７５ａの先端部には第２ギヤ７６が固定されている。この第２ギヤ７６の外周には多数の歯が連続して成る歯部が形成されている。
【００３２】
さらに、第１ギヤ７０の歯部と第２ギヤ７６の歯部とは互いに噛合している。よって、ロータリーダンパ７５は回転軸７５ａの回転に対して所定の抵抗をかけるので、第２ギヤ７６及び第１ギヤ７０を介すことによって、開閉扉１５の回動動作に対して抵抗がかけられるようになっている。そして、本実施形態では、受け皿６０の出し入れに連動して開閉扉１５の開閉がなされるが、受け皿６０が勢いよく出し入れされた場合でも、開閉扉１５の回動動作に抵抗がかかるので、開閉扉の開閉速度を遅くすることができる。
【００３３】
ここで、ロータリーダンパ７５について説明する。ロータリーダンパ７５は、例えば、オイルの粘性抵抗により発生する制動力（ブレーキカ）を利用した回転系のダンパが利用可能である。ダンパの制動トルクは、オイルの粘性、図示外のローターと本体ケースのクリアランス、オイルの接触面積等によって調節可能である。そして、ロータリーダンパ７５の制動トルクはその使用回転速度により、発生するトルクが変化する。つまり、回転速度が上がるとトルクは上がり、回転速度が下がるとトルクも下がるようになっている。従って、開閉扉１５の回動速度が遅い場合は、ロータリーダンパ７５のトルクは下がるので、受け皿６０の出し入れには影響を受けない。一方、開閉扉１５の回動速度が速い場合は、ロータリーダンパ７５のトルクは上がるので、受け皿６０の出し入れを遅くさせる効果がある。なお、ロータリーダンパ７５、第１ギヤ７０及び第２ギヤ７６が本発明の「抵抗力付与手段」に相当する。
【００３４】
次に、扉連動機構５０の構造について説明する。図４に示すように、扉連動機構５０は、開閉扉１５の支持部９７，９８に各々設けられた連結孔１００に一端側が回動可能に連結された連結アーム５３と、該連結アーム５３の他端部に設けられ、グリル庫４５に向かって略直角に延設された長孔軸５４と、該長孔軸５４に軸支されたローラ５５と、グリル庫４５の左右の側壁４６の下側にかつグリル庫４５の前後方向に延設され、前記ローラ５５をガイドするための長孔５１とからなる。
【００３５】
連結アーム５３はグリル庫４５の前方に向かって膨出するように２カ所で曲げられている。長孔５１は、連結アーム５３の他端部をグリル庫４５の奥側にガイドするために、グリル庫４５の前側から奥側に向かって略水平に延設されている。さらにその奥側で上方に屈曲させることによって、開閉扉１５の閉塞時における連結アーム５３の他端部の移動を規制している。
【００３６】
次に、扉連動機構５０の動作について説明する。図４に示すように、まず、受け皿６０が庫外に引き出された状態では、開閉扉１５はトルクバネ５８の付勢によって開いた状態に保持されている。つまり、開閉扉１５は上方に跳ね上がっているので、連結アーム５３の他端部に軸支されたローラ５５は、グリル庫４５の側壁４６に設けられた長孔５１の前側まで引き戻された状態となっている。次いで、受け皿６０をグリル庫４５内に収納するために、取手部材１６を筐体２に向かって押すことによって、受け皿６０をグリル庫４５の内側に向かってスライドさせる。
【００３７】
すると、保持枠４０に設けられた当接部３６が、グリル庫４５の長孔５１に遊挿されたローラ５５に当接する。さらに、取手部材１６を押し込むことによって、当接部３６がローラ５５をグリル庫４５の奥側に付勢するので、ローラ５５は長孔５１の内縁に沿って転動する。そして、ローラ５５がグリル庫４５の奥側に移動することによって、連結アーム５３の他端部がグリル庫４５の奥側に引っ張られる。これに伴い、トルクバネ５８の付勢に抗して、開閉扉１５が引っ張られて下方に回動する。
【００３８】
そして、開閉扉１５が回動する際に、ロータリーダンパ７５の回転軸７５ａの先端に設けられた第２ギヤ７６と、開閉扉１５に固定された第１ギヤ７０とを介して、ロータリーダンパ７５による抵抗力が開閉扉１５に付与される。これにより、開閉扉１５が閉じる方向に回動する速度が遅くなるので、開閉扉１５がグリル庫４５の開口端に勢いよく衝突するのを防止できる。よって、開閉扉１５がグリル庫４５の開口端に当たる際の衝突音を軽減できると共に、グリル庫４５の開口部８の周囲が損傷するのを防止できる。
【００３９】
また、開閉扉１５が閉じる方向に回動する速度が遅くなるので、当接部３６が長孔５１に沿って移動するローラ５５をグリル庫４５の奥側に付勢する際に抵抗がかかる。これにより、受け皿６０の移動速度が遅くなり、取手部材１６がグリル庫４５の開口部８の周囲に勢いよく衝突するのを防止できるので、受け皿６０の出し入れの際に生じる音を軽減できると共に、グリル庫４５の開口部８の周囲が損傷するのを防止できる。また、ローラ５５が長孔５１に沿って転動する際に生じる音や、連結アーム５３が移動する際に生じる音等を軽減することもできる。
【００４０】
こうして、受け皿６０がグリル庫４５内に収納され、取手部材１６がグリル庫４５の前方の開口端に当接した状態で開閉扉１５は完全に閉じた状態（図５参照）となる。このとき、保持枠４０の後方枠部４４に固定された突起部（図示外）が、グリル庫４５の背壁の内面下部に固定された保持ユニット（図示外）によって、左右両側から挟まれて挟持される。これにより保持枠４０がグリル庫４５内に固定される。
【００４１】
そして、受け皿６０を庫外に引き出す場合は、上記説明した流れと逆である。図５に示すように、まず、取手部材１６を手前に徐々に引き出すと、ローラ５５に対する当接部３６の付勢が無くなるので、当接部３６が前側に移動するのに伴ってローラ５５が前方に移動する。これは、トルクバネ５８の付勢が支配的となるので、開閉扉１５が押し上げられ、これに伴って連結アーム５３の他端部に軸支されたローラ５５がグリル庫４５の前方に引っ張られるからである。
【００４２】
また、この場合においても、ロータリーダンパ７５の回転軸７５ａの先端に設けられた第２ギヤ７６と、開閉扉１５に固定された第１ギヤ７０とを介して、ロータリーダンパ７５による抵抗力が開閉扉１５に付与される。これにより、開閉扉１５が開く方向に回動する速度が遅くなるので、ローラ５５が長孔５１に沿って転動する際に生じる音や、連結アーム５３が移動する際に生じる音等を軽減することができる。そして、図４に示すように、ローラ５５から当接部３６が離間して、受け皿６０が庫外に引き出された状態では、開閉扉１５は跳ね上げられ、グリル庫４５の開口部８を完全に露呈した状態とすることができる。
【００４３】
以上説明したように、本実施形態のビルトインコンロ１によれば、グリル庫４５の開口部８を開閉する開閉扉１５は、グリル庫４５に設けられた支軸４８を中心に回動可能に設けられている。この開閉扉１５は、扉連動機構５０によって、グリル庫４５に対する受け皿６０の出し入れに連動して回動する。そして、開閉扉１５に設けられた第１ギヤ７０が開閉扉１５と共に回動すると、第１ギヤ７０に噛合する第２ギヤ７６を先端部に有するロータリーダンパ７５の回転軸７５ａを回動させる。ロータリーダンパ７５は、第２ギヤ７６及び第１ギヤ７０を介して、開閉扉１５の回動動作に抵抗を付与する。これにより、受け皿６０がグリル庫４５に対して勢いよく出し入れされても、ロータリーダンパ７５による抵抗が開閉扉１５に付与されて、さらに、受け皿６０の出し入れに対しても抵抗が付与される。従って、開閉扉１５の開閉速度と、受け皿６０の出し入れ速度とを遅くできるので、受け皿６０の出し入れの際に生じる音を効果的に軽減できる。
【００４４】
なお、本発明に係るガス調理器具は、上記実施形態に限定されるわけではなく、その趣旨を逸脱しない範囲において種々変形してもよい。例えば、上記実施形態では、ロータリーダンパ７５の抵抗を２枚のギヤを介して開閉扉１５に伝達しているが、２枚以上のギヤを用いてもよい。開閉扉１５とロータリーダンパ７５との間が離れた位置にある場合は特に有効である。
【００４５】
また、複数のギヤを介さずに、ロータリーダンパ７５の抵抗を開閉扉１５の回動に直接作用させる構造にしてもよい。本実施形態では、開閉扉１５を開く方向に常時付勢するために、支軸４８にトルクバネ５８を取り付けているが、例えば、開閉扉１５に支軸４８を一体的に固定し、その支軸４８にロータリーダンパ７５の抵抗を直接作用させるようにしてもよい。この場合、開閉扉１５を開く方向に付勢する手段として、受け皿６０を引き出す方向に付勢するバネ等をグリル庫に取り付ける様な構造にすればよい。
【図面の簡単な説明】
【００４６】
【図１】ビルトインコンロ１の斜視図である。
【図２】受け皿６０を引き出した状態のビルトインコンロ１の斜視図である。
【図３】受け皿６０をレール機構３０から取り外した状態のビルトインコンロ１の斜視図である。
【図４】図２に示すＩ−Ｉ線矢視方向断面図である。
【図５】図１に示すＩＩ−ＩＩ線矢視方向断面図である。
【図６】開閉扉１５の斜視図である。
【符号の説明】
【００４７】
１    ビルトインコンロ
８    開口部
１５    開閉扉
３０    レール機構
３６    当接部
４０    保持枠
４５    グリル庫
４６    側壁
４８    支軸
５０    扉連動機構
５１    長孔
５３    連結アーム
５４    長孔軸
５５    ローラ
５８    トルクバネ
６０    受け皿
７０    第１ギヤ
７１    挿通孔
７５    ロータリーダンパ
７５ａ  回転軸
７６    第２ギヤ
【図１】
2010022500.tif 000003
【図２】
2010022500.tif 000004
【図３】
2010022500.tif 000005
【図４】
2010022500.tif 000006
【図５】
2010022500.tif 000007
【図６】
2010022500.tif 000008